(57)【要約】  本発明は、導体３０とプリント回路基板５０の金属被覆された貫通開口部４０との間に電気接続を確立するためのダイレクト・プラグイン・コネクタ１に関する。ダイレクト・プラグイン・コネクタ１は、締付要素４と、少なくとも１つの第１接触アーム３ａを有する接触部２を有する。第１接触アーム３ａは、導体３０を金属被覆された貫通開口部４０に電気的に接続するように構成されている。締付要素４は締付位置及び解放位置をとることができ、締付要素４は、締付位置でダイレクト・プラグイン・コネクタ１を金属被覆された貫通開口部４０に締め付けるように構成される。【選択図】図３
2021532553.tif 000002
【特許請求の範囲】
【請求項１】
導体（３０）とプリント回路基板（５０）の金属被覆された貫通開口部（４０）との間の電気接続を確立するためのダイレクト・プラグイン・コネクタ（１）であって、
前記ダイレクト・プラグイン・コネクタ（１）は、
少なくとも１つの第１接触アーム（３ａ）を有する接触部（２）であって、前記第１接触アーム（３ａ）は、前記導体（３０）を前記金属被覆された貫通開口部（４０）に電気的に接続するように構成された、接触部（２）と、
締付位置と解放位置を取りうる締付要素（４）とを有する、ダイレクト・プラグイン・コネクタ（１）において、
前記締付要素（４）は、前記ダイレクト・プラグイン・コネクタ（１）を前記金属被覆された貫通開口部（４０）に前記締付位置で締め付けるように構成されていることを特徴とするダイレクト・プラグイン・コネクタ（１）。
【請求項２】
前記ダイレクト・プラグイン・コネクタ（１）は止めピン（５）を有し、前記止めピン（５）は、固定状態において、前記締付要素（４）への確実な固定接続によって前記締付要素（４）の前記締付位置から前記解放位置への移送を阻止し、非固定状態において、前記締付要素（４）の前記締付位置から前記解放位置への移送を可能にする、請求項１に記載のダイレクト・プラグイン・コネクタ（１）。
【請求項３】
前記接触部（２）は、前記止めピン（５）を少なくとも部分的に受け入れるための中間空間部（６）を形成し、前記第１接触アーム（３ａ）は、前記中間空間部（６）を少なくとも部分的に形成し、前記止めピン（５）は、少なくとも前記締付位置において前記中間空間部（６）内に配置されている、請求項２に記載のダイレクト・プラグイン・コネクタ（１）。
【請求項４】
前記接触部（２）は、前記第１接触アーム（３ａ）の反対側に位置するように配置された第２接触アーム（３ｂ）を有し、前記第１接触アーム（３ａ）と前記第２接触アーム（３ｂ）は前記中間空間部（６）を少なくとも部分的に形成する、請求項３に記載のダイレクト・プラグイン・コネクタ（１）。
【請求項５】
前記止めピン（５）は少なくとも１つの第１溝部（７ａ）を有し、前記第１接触アーム（３ａ）が固定状態で前記第１溝部（７ａ）の中で配置される、請求項２〜４のいずれか一項に記載のダイレクト・プラグイン・コネクタ（１）。
【請求項６】
前記止めピン（５）は第２溝部（７ｂ）を有し、前記第２接触アーム（３ｂ）は固定状態で前記第２溝部（７ｂ）の中で配置され、前記第２溝部（７ｂ）が前記第１溝部（７ａ）とは反対に位置するように配置したものである、請求項４及び５に記載のダイレクト・プラグイン・コネクタ（１）。
【請求項７】
前記止めピン（５）及び／又は前記第１接触アーム（３ａ）は、前記固定状態において、前記止めピン（５）が、前記金属被覆された貫通開口部（４０）に接触している前記第１接触アーム（３ａ）に対して圧縮力を与えるように、それぞれの場合に構成される遡上傾斜部（２３）を有する、請求項２〜６のいずれか一項に記載のダイレクト・プラグイン・コネクタ（１）。
【請求項８】
前記締付要素（４）は、第１ラッチラグ（１０ａ）を備えた少なくとも１つの第１ラッチアーム（９ａ）を有する、請求項１〜７のいずれか一項に記載のダイレクト・プラグイン・コネクタ（１）。
【請求項９】
前記止めピン（５）が、前記固定状態で、前記第１ラッチラグ（１０ａ）から離れる方向に向いてる前記第１ラッチアーム（９ａ）の後側面（１１）に当接する、請求項２及び８に記載のダイレクト・プラグイン・コネクタ（１）。
【請求項１０】
前記締付要素（４）は、第２ラッチラグ（１０ｂ）を備える第２ラッチアーム（９ｂ）を有し、前記第２ラッチアーム（９ｂ）が前記第１ラッチアーム（９ａ）とは反対に位置するように配置されている、請求項８及び９のいずれかに記載のダイレクト・プラグイン・コネクタ（１）。
【請求項１１】
前記止めピン（５）は、前記第１ラッチアーム（９ａ）と前記第２ラッチアーム（９ｂ）との間に押し込まれるように構成されている、請求項２及び１０に記載のダイレクト・プラグイン・コネクタ（１）。
【請求項１２】
前記第１ラッチアーム（９ａ）及び前記第２ラッチアーム（９ｂ）はラッチアーム平面（１４）内にあり、前記第１接触アーム（３ａ）及び前記第２接触アーム（３ｂ）が接触アーム平面（１６）内にあり、前記ラッチアーム平面（１４）と前記接触アーム平面（１６）が互いに直角である、請求項４及び請求項１０又は１１に記載のダイレクト・プラグイン・コネクタ（１）。
【請求項１３】
前記ダイレクト・プラグイン・コネクタ（１）は、前記締付要素（４）を有するハウジング（１７）を有する、請求項１〜１２のいずれか一項に記載のダイレクト・プラグイン・コネクタ（１）。
【請求項１４】
前記ハウジング（１７）は、前記締付要素（４）を有する第１ハウジング部（１８）と、前記止めピン（５）を有する第２ハウジング部（１９）とを有し、前記第１ハウジング部（１８）と前記第２ハウジング部（１９）を互いに変位させることができ、前記止めピン（５）は、前記第１ハウジング部（１８）と前記第２ハウジング部（１９）の第１相対位置で前記非固定状態を取り、前記止めピン（５）は、前記第１ハウジング部（１８）と前記第２ハウジング部（１９）の第２相対位置で前記固定状態を取る、請求項２及び１３に記載のダイレクト・プラグイン・コネクタ（１）。
【請求項１５】
前記接触部（２）は、前記ハウジング（１７）内に配置され、かつ、前記接触部（２）が前記ハウジング（１７）から離れることがないように固定する、固定部（２０）を有する、請求項１３及び１４のいずれかに記載のダイレクト・プラグイン・コネクタ（１）。
【請求項１６】
前記ダイレクト・プラグイン・コネクタ（１）は、前記ダイレクト・プラグイン・コネクタ（１）を回転しよいように固定するために、前記プリント回路基板（５０）の対応する心出し要素（２２）と相互作用することができる心出し要素（２１）を有する、請求項１〜１５のいずれか一項に記載のダイレクト・プラグイン・コネクタ（１）。
【発明の詳細な説明】
【技術分野】
【０００１】
本発明は、導体とプリント回路基板の金属被覆された貫通開口部の間の電気接続を確立するためのダイレクト・プラグイン・コネクタであって、該コネクタは、少なくとも１つの第１接触アームを有する接触部であって、第１接触アームは、導体を金属被覆された貫通開口部との電気接続のために構成されている、接触部と、締付位置及び解放位置を取りうる締付要素とを備える、ダイレクト・プラグイン・コネクタに関する。
【背景技術】
【０００２】
特許文献１（独国特許出願公開第１０２０１３２１４２３２号明細書）は、互いに反対側に位置する２つのプラグイン要素と、これら２つのプラグイン要素に対して移動させることができる締付ピンとを備えたプラグイン装置を開示している。
【０００３】
また、特許文献２（独国特許出願公開第１０２０１６１１１９２６号明細書）は、ブラケットアームと接触するプラグイン接触部を開示している。
【０００４】
また、特許文献３（独国特許出願公開第１０２０１５１１９４８４号明細書）は、Ｌ字状に折り曲げられたプラグイン接触部を開示している。
【０００５】
ＳＫＥＤＤ接触部（ＳＫＥＤＤは、欧州連合登録商標第０１０７２３９４８号の商標である）は、防振接続を可能とし、プリント回路基板の金属被覆されたドリル穴に可逆的に差し込むことが可能であることが知られている。ＳＫＥＤＤ接触部は、打ち抜きを行い及びその後に曲げ加工を行うことによって製造され、このＳＫＥＤＤ接触部は、一つの材料片から製造され、２つの異なる材料厚さを有する。
【先行技術文献】
【特許文献】
【０００６】
【特許文献１】独国特許出願公開第１０２０１３２１４２３２号明細書
【特許文献２】独国特許出願公開第１０２０１６１１１９２６号明細書
【特許文献３】独国特許出願公開第１０２０１５１１９４８４号明細書
【発明の概要】
【発明が解決しようとする課題】
【０００７】
本発明は、コンパクトな全体設計を有し、製造コストが安く、機械的及び電気的な接続の安定性を高める、ダイレクト・プラグイン・コネクタを提供することを目的とする。
【課題を解決するための手段】
【０００８】
本発明は、請求項１の特徴を有するダイレクト・プラグイン・コネクタを提供することによってこの目的を達成する。本発明の有利な改良点については、従属請求項に記載されている。
【０００９】
本発明による導体とプリント回路基板の金属被覆された貫通開口部との間の電気接続を確立するためのダイレクト・プラグイン・コネクタは、締付要素と、少なくとも１つの第１接触アームを有する接触部とを有する。第１接触アームは、導体を金属被覆された貫通開口部へ電気接続させるように構成される。締付要素は、締付位置及び解放位置を取ることができ、締付要素は、締付位置でダイレクト・プラグイン・コネクタを金属被覆された貫通開口部に締め付けるように構成されている。
【００１０】
ダイレクト・プラグイン・コネクタのコンパクトな全体設計は、ダイレクト・プラグイン・コネクタの締付のため及び電気接続を確立するための両方のための金属被覆された貫通開口部を使用することによって達成される。コンパクトな全体設計によって、ダイレクト・プラグイン・コネクタの材料コストを低く抑えることを可能にし、その結果、ダイレクト・プラグイン・コネクタは安価に製造される。さらに、望ましくない力がダイレクト・プラグイン・コネクタに作用する場合、接触部と締付要素の配置の結果として、レバートルクが全く発生しないか、もしくは、最小のレバートルクしか発生せず、その結果、ダイレクト・プラグイン・コネクタの電気的接続のより高い安定性が達成される。
【００１１】
導体は、ケーブルのケーブルより線又はワイヤとすることができる。
【００１２】
接触部はコネクタ部を有しうる。コネクタ部は、導体との解放可能な電気接続又は非解放可能な電気接続を確立するように構成することができ、特に、コネクタ部と導体との間の電気接続は、はんだ付け接続、プレス接続、圧力型接続、ＩＤＣ接続、クランプ接続、プラグイン舌状接続、圧着又は溶接接続による接続とすることができる。
【００１３】
第１接触アームは、特に複数回、金属被覆された貫通開口部内に押し込まれるか又は差し込まれ、特に複数回、金属被覆された貫通開口部から引き出されるように構成することができる。特に、第１接触アームは、弾性構成とすることができ、その結果、金属被覆された貫通開口部に差し込んだ後に確実な電気接続が確立される。換言すると、第１接触アームは、金属被覆された貫通開口部内に差し込んでいる間に弾性変形することができ、その結果、第１接触アームは、圧縮力を与えられる。この圧縮力によって、第１接触アームを金属被覆された貫通開口部に対して押し付けることができる。第１接触アーム及び／又は接触部は、その縁部、特にその外縁部において、傾斜した部分又は丸みを帯びた部分を有しうる。接触部は、導電性材料から製造されるか、又は少なくとも導電性の方法で被覆される。
【００１４】
締付要素は、金属被覆された貫通開口部に作用するように、又は、締付位置で金属被覆された貫通開口部に係合するように構成することができ、例えば、解放位置において、金属被覆された貫通開口部に押し込まれるか又は挿入されるように、又は、金属被覆された貫通開口部から引っ張られるか又は取り出されるように構成することができる。締付要素は、可撓性要素とすることができ、特に、締付要素は、例えば、締付要素を曲げる又は変形させることによって、締付要素に力を作用させることによって、締付位置から解放位置に移すことができる。締付要素は、解放位置で圧縮力を受けることができ、この圧縮力は、例えば、締付要素がスプリングバックして締付位置に戻る方法によって、締付要素の解放位置から締付位置への自動移送をもたらす。締付要素は、接触部とは別個の要素である。締付要素は、例えば、ハウジングの一部とすることができる。締付要素は、電気絶縁材料から製造されるか、又は、少なくとも電気絶縁材料で被覆される。
【００１５】
締付要素が金属被覆された貫通開口部内に挿入されると、締付要素は、締付位置で金属被覆された貫通開口部への確実な固定接続及び／又は非確実な接続をもたらすことができる。
【００１６】
本発明の１つの態様において、ダイレクト・プラグイン・コネクタは、固定状態において、締付要素への確実に固定された接続によって締付要素の締付位置から解放位置への移送を阻止し、固定されていない位置において、締付要素の締付位置から解放位置への移送を可能にする、止めピンを有する。ダイレクト・プラグイン・コネクタの金属被覆された貫通開口部へのより安定した機械的締付は、止めピンによって有利に達成され、特に、ダイレクト・プラグイン・コネクタの金属被覆された貫通開口部への締付の望ましくない解放が、止めピンによって防止される。例えば、止めピンは、非固定状態と固定状態との間で複数回にわたって転送することができる。固定状態では、止めピンが締付要素に挿入されたり、締付要素によって受け入れられたりすることが可能である。止めピンは、締付位置で締付要素を金属被覆された貫通開口部に固定するだけでなく、締付要素を金属被覆された貫通開口部に対して押しつけるように構成することもできる。
【００１７】
本発明の１つの態様において、接触部は、少なくとも部分的に止めピンを受け入れる中間空間部を形成し、第１接触アームは、少なくとも部分的に中間空間部を形成し、止めピンは、少なくとも締付位置において中間空間部内に配置される。コンパクトな全体設計は、止めピン及び接触部の前記配置によって有利に達成される。
【００１８】
本発明の１つの態様において、接触部は、第１接触アームとは反対側に位置するように配置された第２接触アームを有し、第１接触アーム及び第２接触アームは、中間空間部を少なくとも部分的に形成している。ダイレクト・プラグイン・コネクタの電気接続の安定性が、第２接触アームの使用によって高められる。第２接触アームは、第１接触アームと同じ特性又は同じ構成を有しうる。
【００１９】
本発明の１つの態様において、止めピンは、少なくとも１つの第１溝部を有し、この第１溝部の中に、第１接触アームは、止めピンの固定状態において、少なくとも部分的に配置される。例えば、第１接触アームは、第１溝部内に部分的に配置される。解放位置において、第１接触アームは、同様に、第１溝部内に部分的に配置されうる。
【００２０】
本発明の１つの態様において、止めピンは第２溝部を有し、第２接触アームは、止めピンの固定状態で少なくとも部分にこの第２溝部内に配置され、第２溝部は、第１溝部とは反対に位置するように配置される。例えば、第２接触アームは、第２溝部内に部分的に配置される。解放位置において、第２接触アームは、同様に、第２溝部内に部分的に配置することができる。
【００２１】
本発明の１つの態様において、止めピン及び／又は第１接触アームは、固定状態において、止めピンが第１接触アームを金属被覆された貫通開口部に押圧又は圧縮するように、それぞれの場合に構成される少なくとも１つの遡上傾斜部を有する。例えば、遡上傾斜部は、止めピンが、金属被覆された貫通開口部の方向に力を第１接触アームに及ぼすように構成することができる。止めピン及び／又は第２接触アームは、固定状態において、止めピンが第２接触アームを金属被覆された貫通開口部に対して圧縮するように、それぞれの場合に構成される更なる遡上傾斜部を有しうる。
【００２２】
本発明の１つの態様において、締付要素は、第１ラッチラグを備えた少なくとも１つの第１ラッチアームを有する。ダイレクト・プラグイン・コネクタを金属被覆された貫通開口部に締め付けるために、第１ラッチラグは、好ましくは、金属被覆された貫通開口部上で、又は、プリント回路基板の下側に合流する貫通開口部の一端でラッチを形成する。第１ラッチアームは、特に複数回にわたって金属被覆された貫通開口部内に押し込まれるか又は差し込まれ、特に複数回にわたって金属被覆された貫通開口部から引き出されるように構成することができる。例えば、第１ラッチアームは弾性的に変形することができ、第１ラッチアームは、締付位置において変形させられず、解放位置において変形させられる。例えば、第１ラッチラグは、第１傾斜部及び／又は第２傾斜部を有する。第１傾斜部は、締付要素が締付位置から解放位置に移送されるように構成することができ、特に、締付要素が金属被覆された貫通開口部に押し込まれたときに第１ラッチアームを変形及び偏向させるように構成することができ、かつ／又は、第２傾斜部は、締付要素が締付位置から解放位置に移送されるように構成することができ、特に、締付要素が金属被覆された貫通開口部から引き出されたときに第１ラッチアームを変形及び偏向させるように構成することができる。第２傾斜部は、第１傾斜部よりも大きな勾配を有することができ、その結果、締付要素を金属被覆された貫通開口部から引き出すために、締付要素を金属被覆された貫通開口部を通して押し込むための力よりも大きな力が必要となる。
【００２３】
本発明の１つの態様において、止めピンは、固定状態において、第１ラッチラグとは反対を向いている第１ラッチアームの後側面に当接する。例えば、固定状態では、止めピンと第１ラッチアームとの間に確実な固定接続があり、この確実な固定接続部、第１ラッチアームの移送を防ぎ、特に、第１ラッチアームの締付位置から解放位置への変形を防ぐ。第１ラッチアームの後側面及び／又は止めピンに、遡上傾斜部を設けることができる。固定状態では、止めピンは第１ラッチアームを金属被覆された貫通開口部に対して圧縮力を与えるか又は押圧することができる。
【００２４】
本発明の１つの態様において、締付要素は、第２ラッチラグを備えた第２ラッチアームを有し、第２ラッチアームは、第１ラッチアームとは反対に位置するように配置される。ダイレクト・プラグイン・コネクタの金属被覆された貫通開口部への締付の安定性は、第２ラッチアームの使用によって高められる。第２ラッチアームは、第１ラッチアームと同じ特性又は構成を有しうる。第２ラッチアームの後側面及び／又は止めピンに、遡上傾斜部を設けることができる。止めピンは、固定状態では、第２ラッチアームを金属被覆された貫通開口部に圧縮力を与えるか又は押し付けることができる。
【００２５】
本発明の１つの態様において、止めピンは、第１ラッチアームと第２ラッチアームとの間で押されるように構成される。
【００２６】
本発明の１つの態様において、第１ラッチアーム及び第２ラッチアームはラッチアーム平面内にあり、第１接触アーム及び第２接触アームは接触アーム平面内にあり、ラッチアーム平面と接触アーム平面は互いに直角である。
【００２７】
本発明の１つの態様において、ダイレクト・プラグイン・コネクタは、締付要素を有するハウジングを有する。例えば、締付要素は、ハウジングの下側に配置することができる。締付要素及びハウジングは、一つの片で構成されることが好ましい。例えば、締付要素及び／又はハウジングはプラスチックから作ることができる。ハウジング内で、接触部は、周囲に対して、接触防止及び電気的絶縁で配置することができる。
【００２８】
本発明の一態様において、前記ハウジングは、第１ハウジング部と第２ハウジング部とを有し、前記第１ハウジング部は、前記締付要素を有する第１ハウジング部を有し、第２ハウジング部は、前記止めピンを有し、前記第１ハウジング部と前記第２ハウジング部とが互いに相対的に変位させることが可能であり、前記止めピンは、前記第１ハウジング部と前記第２ハウジング部との第１相対位置において非固定状態を取り、前記止めピンは、前記第１ハウジング部と前記第２ハウジング部との第２相対位置において固定状態を取る。前記止めピンは、前記第２ハウジング部と一つの片で構成されていることが好ましい。第１ハウジング部分の第２ハウジング部分に対する変位方向は、金属被覆された貫通開口部の長手軸線に平行であり、且つ／又は、ダイレクト・プラグイン・コネクタの金属被覆された貫通開口部への差し込み方向に平行である。
【００２９】
本発明の１つの態様において、接触部は、ハウジング内に配置され、かつ、接触部がハウジングから離れないように接触部を固定する、固定部を有する。ダイレクト・プラグイン・コネクタが、導体と金属被覆された貫通開口部との間に電気接続を確立する時、締付要素は、締付位置に位置し、引っ張り力が導体に作用し、固定部によって、導体の引っ張り力の結果として、特に、ハウジングから引っ張られて接触部が離れるのを防止することができ、その結果として、電気接続部の切断が防止される。
【００３０】
本発明の１つの態様において、ダイレクト・プラグイン・コネクタは、プリント回路基板の対応する心出し要素と相互作用し、かつ、ダイレクト・プラグイン・コネクタを回転不能に固定することができる、心出し要素を有する。心出し要素は、心出し開口部又は心出しピンとすることができる。プリント回路基板の対応する心出し要素は、心出しピン又は心出し開口部とすることができる。一般に、プリント回路基板上に心出し開口部を設ける。例えば、心出し要素は、ハウジングの下側に、特に、第１ハウジング部の下側に配置することができる。例えば、心出し要素及びハウジングを一つの片で構成することができる。例えば、プリント回路基板の心出し要素及び対応する心出し要素は、ダイレクト・プラグイン・コネクタがプリント回路基板に締め付けられ、具体的には、金属被覆された貫通開口部に締め付けられるときに、位置決めの補助として作用することができる。
【００３１】
本発明のさらなる特徴及び利点は、添付図面を参照して、添付の特許請求の範囲及び本発明の好ましい実施形態についての記載から明らかになる。示されている異なる実施形態の個々の特徴は、本発明の範囲から逸脱することなく、本明細書においていかなる所望の方法で互いに組み合わせることができる。
【図面の簡単な説明】
【００３２】
【図１】図１は、本発明に係るダイレクト・プラグイン・コネクタを斜め下方から見た図を示す。
【図２】図２は、図１のダイレクト・プラグイン・コネクタを下から見た図を示す。
【図３】図３は、断面ＩＩＩ−ＩＩＩにおいて図１のダイレクト・プラグイン・コネクタの断面図を示し、ダイレクト・プラグイン・コネクタは、プリント回路基板の金属被覆された貫通開口部に締め付けられている様子を示している。
【図４】図４は、断面ＩＶ−ＩＶにおいて図１のダイレクト・プラグイン・コネクタの断面図であり、該ダイレクト・プラグイン・コネクタは、金属被覆された貫通開口部に締め付けられている様子を示している。
【図５】図５は、図１のダイレクト・プラグイン・コネクタを斜め下方から見た図であり、ダイレクト・プラグイン・コネクタがプリント回路基板の金属被覆された貫通開口部に締め付けられている様子を示している。
【図６】図６は、図１のダイレクト・プラグイン・コネクタを斜め上方から見た図であり、ダイレクト・プラグ・コネクタがプリント回路基板の金属被覆された貫通開口部に締め付けられている様子を示している。
【図７】図７は、プリント回路基板と共に、図１のダイレクト・プラグイン・コネクタの分解又は引き離した状態を示す。
【図８】図８は、図１のダイレクト・プラグイン・コネクタの接触部を斜め正面から見た図を示す。
【図９】図９は、図８の接触部を斜め後方から見た図を示す。
【図１０】図１０は、図１のダイレクト・プラグイン・コネクタの第１ハウジング部を斜め下方から見た図を示す。
【図１１】図１１は、図１０の第１ハウジング部を斜め上方から図を示す。
【図１２】図１２は、図１０の第１ハウジング部の第１断面図を示す。
【図１３】図１３は、図１０の第１ハウジング部の第２断面図を示す。
【図１４】図１４は、図１のダイレクト・プラグイン・コネクタの第２ハウジング部を斜め下方から見た図を示す。
【図１５】図１５は、図１４の第２ハウジング部を斜め側方から見た図を示す。
【図１６】図１６は、図１４の第２ハウジング部の第１断面図を示す。
【図１７】図１７は、図１４の第２ハウジング部の第２断面図を示す。
【図１８】図１８は、図１６に従って断面化された第２ハウジング部を斜め上方から見た図を示す。
【図１９】図１９は、図１７に従って断面化された第２ハウジング部を斜め側方から見た図を示す。
【図２０】図２０は、図１４の第２ハウジング部を斜め側方から見た図を示す。
【図２１】図２１は、図１のダイレクト・プラグイン・コネクタを断面ＸＸＩ−ＸＸＩに沿って見た図を示す。
【図２２】図２２は、斜め上方から見た、本発明のさらなる実施形態によるダイレクト・プラグイン・コネクタの断面図であり、ダイレクト・プラグイン・コネクタがプリント回路基板の金属被覆された貫通開口部に締め付けられた様子を示す。
【発明を実施するための形態】
【００３３】
図１は、第１ハウジング部１８と第２ハウジング部１９とを有するハウジング１７を備えたダイレクト・プラグイン・コネクタ１を斜め下方から見た図を示す。接触部２は、ダイレクト・プラグイン・コネクタ１の下側で第１ハウジング部１８から部分的に突出している。接触部２の第１接触アーム３ａ及び第２接触アーム３ｂは、第１ハウジング部１８から部分的に突出している。第１接触アーム３ａは、第２接触アーム３ｂとは反対に位置するように配置されている。第１接触アーム３ａ及び第２接触アーム３ｂは、プリント回路基板の金属被覆された貫通開口部に接触部２を電気的に接続するために設けられている。２つの接触アーム３ａ、３ｂは、共通の接触アーム平面内にある。
【００３４】
ハウジング１７は、その下側に締付要素４を有し、ハウジング１７の下側において、第１接触アーム３ａ及び第２接触アーム３ｂが突出し、この下側は図１の観察者に面している。締付要素４は、ダイレクト・プラグイン・コネクタ１を金属被覆された貫通開口部に締め付けるために設けられている。このために、締付要素４は、締付位置又は解放位置を取ることができる。締付要素４は、締付位置に位置して金属被覆された貫通開口部内に押し込まれると、締付要素４は、ダイレクト・プラグイン・コネクタ１を金属被覆された貫通開口部又はプリント回路基板上で保持する。解放位置では、締付要素４を金属被覆された貫通開口部に押し込むか、又は、金属被覆された貫通開口部から引き出すことができる。図１は締付位置を示す。
【００３５】
図１に示す締付要素４は、第１ラッチアーム９ａと第２ラッチアーム９ｂとを有している。第１ラッチアーム９ａは第１ラッチラグ１０ａを有し、第２ラッチアーム９ｂは第２ラッチラグ１０ｂを有する。第１ラッチアーム９ａは、第２ラッチアーム９ｂとは反対に位置するように配置されている。ラッチラグ１０ａ、１０ｂを有する２つのラッチアーム９ａ、９ｂは、金属被覆された貫通開口部にラッチ掛けするように構成される。２つのラッチアーム９ａ、９ｂは、ラッチアーム平面内に配置されている。
【００３６】
図１は、２つの接触アーム３ａ、３ｂ及び２つのラッチアーム９ａ、９ｂが、第１に電気接続を確立するため、第２にダイレクト・プラグイン・コネクタ１を締め付けるために、同じ金属被覆された貫通開口部を利用するために設けられていることを示している。
【００３７】
さらに、図１は、止めピン５が２つの接触アーム３ａ、３ｂと２つのラッチアーム９ａ、９ｂとの間に配置されていることを示している。止めピン５は、締付要素４、具体的にはラッチアーム９ａ、９ｂが締付位置から解放位置に意図せず移送されないように、締付要素４を固定するために設けられている。
【００３８】
図２は、ダイレクト・プラグイン・コネクタ１を下から示す。２つのラッチアーム９ａ、９ｂはラッチアーム平面１４内にあり、接触アーム３ａ、３ｂは接触アーム平面１６内にあり、ラッチアーム９ａ、９ｂと接触アーム３ａ、３ｂは、ラッチアーム平面１４と接触アーム平面１６とが互いに直角になるように配置されている。
【００３９】
図３は、図２に示す接触アーム平面１６である断面ＩＩＩ−ＩＩＩにおいて、ダイレクト・プラグイン・コネクタ１の断面図を示す。ダイレクト・プラグイン・コネクタ１は、プリント回路基板５０の金属被覆された貫通開口部４０に差し込まれる。２つの接触アーム３ａ、３ｂは、金属被覆された貫通開口部４０の壁に当接し、その結果、当該壁への電気接続を確立する。
【００４０】
図４は、図２においてラッチアーム平面１４である断面ＩＶ−ＩＶにおいて、ダイレクト・プラグイン・コネクタ１の断面図を示す。２つのラッチラグ１０ａ、１０ｂは、金属被覆された貫通開口部４０の外部に配置され、プリント回路基板５０の下側上に位置する。したがって、２つのラッチラグ１０ａ、１０ｂは、金属被覆された貫通開口部４０の背後で係合し、したがって、ダイレクト・プラグイン・コネクタ１がプリント回路基板５０から意図せずに引き抜かれるのを防止する。
【００４１】
さらに、図４は、止めピン５が第２ハウジング部１９と一つの片で構成されており、締付要素４が第１ハウジング部１８と一つの片で構成されていることを示している。
【００４２】
図４は止めピン５の固定状態を示す。この止めピン５は、第１ラッチアーム９ａと第２ラッチアーム９ｂとの間に押し込まれ、第１ラッチアーム９ａの後側面１１と第２ラッチアーム９ｂの後側面１２の両方に当接する。その結果、プリント回路基板５０に平行な方向における止めピン５と２つのラッチアーム９ａ、９ｂとの間で確実な固定接続が達成される。確実な固定接続によって、締付要素４及びラッチアーム９ａ、９ｂを締付位置で固定し、ラッチアーム９ａ、９ｂが意図せずに解放位置に移送されることを防止し、この結果、ダイレクト・プラグイン・コネクタ１がプリント回路基板５０から意図せずに離れ、金属被覆された貫通開口部４０から離れることを防止する。
【００４３】
ダイレクト・プラグイン・コネクタ１を金属被覆された貫通開口部４０から解放するため、したがって、プリント回路基板５０から解放するために、止めピン５を非固定状態（図示せず）に移送する必要がある。図４の図示において、止めピン５は、第２ハウジング部１９と共に、ラッチアーム９ａ、９ｂ及び第２ハウジング部１８に対して上方に向かってこの端まで、プリント回路基板５０から離れるように移動させなければならない。非固定状態では、止めピン５は、その後、少なくとも、２つのラッチラグ１０ａ、１０ｂの間に配置されなくなり、ラッチアーム９ａ、９ｂの締付位置から解放位置への移送が可能となる。ラッチアーム９ａ、９ｂが解放位置に移送される場合、すなわち、図４において内側に偏向される場合、ラッチラグ１０ａ、１０ｂは貫通開口部４０内に移動することができ、ダイレクト・プラグイン・コネクタ１は金属被覆された貫通開口部４０から引き出されることができる。止めピン５を非固定状態に移すために、利用者は、プリント回路基板から離れた方向８に向けて第２ハウジング部１９を引っ張る。その結果、第２ハウジング部１９は、２つのハウジング部１８、１９が第１相対位置を取るまで第１ハウジング部１８に対して変位する。第１相対位置では、止めピン５は、非固定状態を有し、ダイレクト・プラグイン・コネクタ１は、金属被覆された貫通開口部４０から引き出すことができる。ダイレクト・プラグイン・コネクタ１を再び金属被覆された貫通開口部４０に締め付けるために、２つのラッチアーム９ａ、９ｂは、２つの接触アーム３ａ、３ｂと共に、図４に示すように、２つのラッチラグ１０ａ、１０ｂが金属被覆された貫通開口部４０の背後にラッチ掛けするまで、金属被覆された貫通開口部４０の中に押し込まれる。続いて、利用者は、第２ハウジング部１９を方向８とは逆に押圧し、その結果、第２ハウジング部１９が第１ハウジング部１８に対して変位し、図４に示す第２相対位置を取る。図４に示すように、第２相対位置では、止めピン５が固定状態になっている。
【００４４】
図５は、プリント回路基板５０に接続されているダイレクト・プラグイン・コネクタ１を下から示している。２つの接触アーム３ａ、３ｂは、金属被覆された貫通開口部４０の壁に当接し、その結果として電気接続を確立する。２つのラッチラグ１０ａ、１０ｂは、同じ金属被覆された貫通開口部４０を介してプリント回路基板５０上でダイレクト・プラグイン・コネクタ１を保持する。止めピン５は、固定状態にあり、ラッチラグ１０ａ、１０ｂを固定する。
【００４５】
図６は、ダイレクト・プラグイン・コネクタ１を斜め上方から見た図を示す。ダイレクト・プラグイン・コネクタ１は、プリント回路基板５０に締め付けられ、接触部２に接続される導体３０とプリント回路基板５０の金属被覆された貫通開口部４０との間に電気接続を確立する。
【００４６】
図７は、ダイレクト・プラグイン・コネクタ１を分解された図又は引き離された図を示す。
【００４７】
図８及び図９は、それぞれ、接触部２を斜め前方及び斜め後方から見た図を示す。接触部２はコネクタ部１３を有する。コネクタ部１３は、導体３０との電気接続を確立し、導体３０を接触部２に締め付けるように構成される。このため、導体３０が接触部２のコネクタ部１３の中に配置され、コネクタ部１３の圧着により接触部２と導体３０との間に圧力式の接続又は圧入接続が確立される。コネクタ部は、本発明の主旨の範囲内で任意の所望の構成とすることができ、例えば、絶縁変位コネクタ、又は、ソルダーテールとしてもよい。
【００４８】
さらに、接触部２は、固定部２０と、固定部２０の端部２７とを有し、この端部２７は、コネクタ部１３に面し、接触アーム３ａ、３ｂ及び残りの固定部２０がある、接触アーム平面１６に対して曲げられている。ダイレクト・プラグイン・コネクタ１の組み立てられた状態では、固定部２０は、ハウジング１７（図３も参照）内に配置され、接触部２をハウジング１７から離れないように固定する。導体３０が接触部２を介してコネクタ部１３に接続されて導体３０が引っ張られると、固定部２０の離れて曲げられた複数の端部２７が第２ハウジング部１９のビーズ部２８に当接し、接触部２がハウジング１７から引き出されるのを防止する。換言すると、ビーズ部２８と端部２７との間の確実に固定された接続は、接触部２がハウジング１７から離れるのを防止する。
【００４９】
この接触部２は、一片の平坦な板金材料から一体に構成されている。板金材料は、まず、打ち抜き加工又はレーザ加工され、続いて、曲げ加工でコネクタ部１３及び固定部２０の端部２７を構成する。
【００５０】
さらに、図８及び図９は、接触部２が中間空間部６を形成し、第１接触アーム３ａ及び第２接触アーム３ｂが中間空間部６を少なくとも部分的に形成することを示す。止めピン５の締付位置において、止めピン５は中間空間部６内に配置されている（図３も参照）。このため、止めピン５は、その内部に第１接触アーム３ａが部分的に配置された第１溝部７ａと、その内部に第２接触アーム３ｂが部分的に配置されている第２溝部７ｂとを有している（図１も参照）。２つの接触アーム３ａ，３ｂは互いに反対側に位置するように配置されているため、溝部７ａ，７ｂも同様に互いに反対側に位置するように配置されている。
【００５１】
図１０及び図１１は、それぞれ、第１ハウジング部１８の斜視図を示している。第１ハウジング部１８は、接触凹部２４を有している。接触凹部２４は、ダイレクト・プラグイン・コネクタ１が組み立てられた場合、２つの接触アーム３ａ、３ｂが第１ハウジング部１８から部分的に突出しかつ２つのラッチアーム９ａ、９ｂの間に配置されるように、接触部２を第１ハウジング部１８の中に挿入することができるように設けられている。
【００５２】
図１２及び１３は、それぞれ、第１ハウジング部１８の断面図を示し、図１２のＩＶ−ＩＶ断面は図２のラッチアーム平面１４であり、図１３のＩＩＩ−ＩＩＩ断面は図２の接触アーム平面１６である。
【００５３】
図１４及び１５は、それぞれ、一つの片で構成された止めピン５と２つの溝部７ａ、７ｂとを備えた第２ハウジング部１９の斜視図を示している。
【００５４】
図１６及び１７は、それぞれ、第２ハウジング部１９の断面図を示しており、図１６のＩＶ−ＩＶ断面は図２のラッチアーム平面１４であり、図１７のＩＩＩ−ＩＩＩ断面は図２の接触アーム平面１６である。
【００５５】
図１８及び図１９は、それぞれ、図１６及び図１７の第２ハウジング部１９の断面の異なる斜視図を示している。
【００５６】
図２０は、異なる視点からの図１４の第２ハウジング部１９の斜視図である。第２ハウジング部１９は、上側ラッチ開口部２５ａと下側ラッチ開口部２５ｂとを有している。第１ハウジング部１８のラッチラグ２６は、ラッチ開口部２５ａ、２５ｂに係合することができる（図１１も参照）。第１ハウジング部１８と第２ハウジング部１９が第１相対位置にあるとき、ラッチラグ２６が下側ラッチ開口部２５ｂ内に配置される。第１ハウジング部１８と第２ハウジング部１９が第２相対位置にあるとき、ラッチラグ２６は上側ラッチ開口部２５ａ内に配置される。従って、２つのハウジング部１８，１９の第１相対位置及び第２相対位置が固定され、従って、止めピン５の非固定状態及び固定状態も、ラッチラグ２６及びラッチ開口部２５ａ，２５ｂを介して固定される。利用者が、第２ハウジング部１９を押したり引いたりすることによって、２つのハウジング部１８、１９を２つの相対位置の間で移送する場合、利用者は、ラッチラグ２６を２つのラッチ開口部２５ａ、２５ｂのうちの１つにラッチ掛けした結果、第１相対位置又は第２相対位置に到達したことを知覚する。
【００５７】
図２１は、参照符号ＸＸＩ−ＸＸＩによって図２に示されている断面に沿った、ダイレクト・プラグイン・コネクタ１の断面図を示す。第１ハウジング部１８は、心出しピンの形態の心出し要素２１を有し、これは、プリント回路基板の心出し開口部の形態で対応する心出し要素２２の中に受け入れられる。心出し要素２１は、プリント回路基板５０に締め付ける場合にはダイレクト・プラグイン・コネクタ１を正しく位置決めし、プリント回路基板５０に締め付けられた状態ではダイレクト・プラグイン・コネクタ１の回転を防止するように設けられている。
【００５８】
図２２は、ダイレクト・プラグイン・コネクタ１‘の断面図を示す。ダイレクト・プラグイン・コネクタ１‘は、図１〜２１のダイレクト・プラグイン・コネクタ１の代替の例示的な実施形態であり、理解の向上のために同一の参照符号が同一で機能的に同等の要素について使用され、図１〜図２１の例示的な実施形態に関しての記載を参照することができ、その結果、図１〜図２１の例示的な実施形態との本質的な相違点のみを以下において説明する。止めピン５及び２つの接触アーム３ａ、３ｂは、それぞれ、遡上傾斜部２３を有する。２つのハウジング部１８、１９が第１相対位置から第２相対位置に移送されると、これら遡上傾斜部２３が接触し、接触アーム３ａ、３ｂが外方に押圧されるように相互作用する。接触アーム３ａ、３ｂが金属被覆された貫通開口部４０の中に挿入されて２つのハウジング部１８、１９が図２２に示すように第２相対位置を取るとき、接触アーム３ａ、３ｂは、金属被覆された貫通開口部４０の壁に圧縮され又は押し付けられる。その結果、接触アーム３ａ、３ｂと金属被覆された貫通開口部４０との間の電気接続のより大きな安定性が達成される。これは、例えば、携帯の用途の場合、ダイレクト・プラグイン・コネクタ１‘及びプリント回路基板５０が振動を受ける場合に、大きな利点となり得る。
【００５９】
上述した例示的な実施形態で明確になるように、本発明は、コンパクトな全体設計を有し、製造コストが安く、電気接続の安定性及び信頼性を高めるダイレクト・プラグイン・コネクタを提供する。
【図１】
2021532553.tif 000003
【図２】
2021532553.tif 000004
【図３】
2021532553.tif 000005
【図４】
2021532553.tif 000006
【図５】
2021532553.tif 000007
【図６】
2021532553.tif 000008
【図７】
2021532553.tif 000009
【図８】
2021532553.tif 000010
【図９】
2021532553.tif 000011
【図１０】
2021532553.tif 000012
【図１１】
2021532553.tif 000013
【図１２】
2021532553.tif 000014
【図１３】
2021532553.tif 000015
【図１４】
2021532553.tif 000016
【図１５】
2021532553.tif 000017
【図１６】
2021532553.tif 000018
【図１７】
2021532553.tif 000019
【図１８】
2021532553.tif 000020
【図１９】
2021532553.tif 000021
【図２０】
2021532553.tif 000022
【図２１】
2021532553.tif 000023
【図２２】
2021532553.tif 000024
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
導体（３０）とプリント回路基板（５０）の金属被覆された貫通開口部（４０）との間の電気接続を確立するためのダイレクト・プラグイン・コネクタ（１）であって、
前記ダイレクト・プラグイン・コネクタ（１）は、
少なくとも１つの第１接触アーム（３ａ）を有する接触部（２）であって、前記第１接触アーム（３ａ）は、前記導体（３０）を前記金属被覆された貫通開口部（４０）に電気的に接続するように構成された、接触部（２）と、
締付位置と解放位置を取りうる締付要素（４）とを有する、ダイレクト・プラグイン・コネクタ（１）において、
前記締付要素（４）は、前記ダイレクト・プラグイン・コネクタ（１）を前記金属被覆された貫通開口部（４０）に前記締付位置で締め付けるように構成されており、
前記締付要素（４）は、第１ラッチラグ（１０ａ）を備えた少なくとも１つの第１ラッチアーム（９ａ）を有することを特徴とするダイレクト・プラグイン・コネクタ（１）。
【請求項２】
前記ダイレクト・プラグイン・コネクタ（１）は止めピン（５）を有し、前記止めピン（５）は、固定状態において、前記締付要素（４）への確実な固定接続によって前記締付要素（４）の前記締付位置から前記解放位置への移送を阻止し、非固定状態において、前記締付要素（４）の前記締付位置から前記解放位置への移送を可能にする、請求項１に記載のダイレクト・プラグイン・コネクタ（１）。
【請求項３】
前記接触部（２）は、前記止めピン（５）を少なくとも部分的に受け入れるための中間空間部（６）を形成し、前記第１接触アーム（３ａ）は、前記中間空間部（６）を少なくとも部分的に形成し、前記止めピン（５）は、少なくとも前記締付位置において前記中間空間部（６）内に配置されている、請求項２に記載のダイレクト・プラグイン・コネクタ（１）。
【請求項４】
前記接触部（２）は、前記第１接触アーム（３ａ）の反対側に位置するように配置された第２接触アーム（３ｂ）を有し、前記第１接触アーム（３ａ）と前記第２接触アーム（３ｂ）は前記中間空間部（６）を少なくとも部分的に形成する、請求項３に記載のダイレクト・プラグイン・コネクタ（１）。
【請求項５】
前記止めピン（５）は少なくとも１つの第１溝部（７ａ）を有し、前記第１接触アーム（３ａ）が固定状態で前記第１溝部（７ａ）の中で配置される、請求項２〜４のいずれか一項に記載のダイレクト・プラグイン・コネクタ（１）。
【請求項６】
前記止めピン（５）は少なくとも１つの第１溝部（７ａ）を有し、前記第１接触アーム（３ａ）が固定状態で前記第１溝部（７ａ）の中で配置され、
前記止めピン（５）は第２溝部（７ｂ）を有し、前記第２接触アーム（３ｂ）は固定状態で前記第２溝部（７ｂ）の中で配置され、
前記第２溝部（７ｂ）が前記第１溝部（７ａ）とは反対に位置するように配置したものである、請求項４に記載のダイレクト・プラグイン・コネクタ（１）。
【請求項７】
前記止めピン（５）及び／又は前記第１接触アーム（３ａ）は、前記固定状態において、前記止めピン（５）が、前記金属被覆された貫通開口部（４０）に接触している前記第１接触アーム（３ａ）に対して圧縮力を与えるように、それぞれの場合に構成される遡上傾斜部（２３）を有する、請求項２〜６のいずれか一項に記載のダイレクト・プラグイン・コネクタ（１）。
【請求項８】
前記止めピン（５）が、前記固定状態で、前記第１ラッチラグ（１０ａ）から離れる方向に向いてる前記第１ラッチアーム（９ａ）の後側面（１１）に当接する、請求項２に記載のダイレクト・プラグイン・コネクタ（１）。
【請求項９】
前記締付要素（４）は、第２ラッチラグ（１０ｂ）を備える第２ラッチアーム（９ｂ）を有し、前記第２ラッチアーム（９ｂ）が前記第１ラッチアーム（９ａ）とは反対に位置するように配置されている、請求項１及び８のいずれかに記載のダイレクト・プラグイン・コネクタ（１）。
【請求項１０】
前記締付要素（４）は、第２ラッチラグ（１０ｂ）を備える第２ラッチアーム（９ｂ）を有し、
前記第２ラッチアーム（９ｂ）が前記第１ラッチアーム（９ａ）とは反対に位置するように配置されており、
前記止めピン（５）は、前記第１ラッチアーム（９ａ）と前記第２ラッチアーム（９ｂ）との間に押し込まれるように構成されている、請求項２に記載のダイレクト・プラグイン・コネクタ（１）。
【請求項１１】
前記締付要素（４）は、第２ラッチラグ（１０ｂ）を備える第２ラッチアーム（９ｂ）を有し、
前記第２ラッチアーム（９ｂ）が前記第１ラッチアーム（９ａ）とは反対に位置するように配置されており、
前記第１ラッチアーム（９ａ）及び前記第２ラッチアーム（９ｂ）はラッチアーム平面（１４）内にあり、
前記第１接触アーム（３ａ）及び前記第２接触アーム（３ｂ）が接触アーム平面（１６）内にあり、
前記ラッチアーム平面（１４）と前記接触アーム平面（１６）が互いに直角である、請求項４に記載のダイレクト・プラグイン・コネクタ（１）。
【請求項１２】
前記締付要素（４）は、第２ラッチラグ（１０ｂ）を備える第２ラッチアーム（９ｂ）を有し、
前記第２ラッチアーム（９ｂ）が前記第１ラッチアーム（９ａ）とは反対に位置するように配置されており、
前記止めピン（５）は、前記第１ラッチアーム（９ａ）と前記第２ラッチアーム（９ｂ）との間に押し込まれるように構成されており、
前記第１ラッチアーム（９ａ）及び前記第２ラッチアーム（９ｂ）はラッチアーム平面（１４）内にあり、
前記第１接触アーム（３ａ）及び前記第２接触アーム（３ｂ）が接触アーム平面（１６）内にあり、
前記ラッチアーム平面（１４）と前記接触アーム平面（１６）が互いに直角である、請求項４に記載のダイレクト・プラグイン・コネクタ（１）。
【請求項１３】
前記ダイレクト・プラグイン・コネクタ（１）は、前記締付要素（４）を有するハウジング（１７）を有する、請求項１〜１１のいずれか一項に記載のダイレクト・プラグイン・コネクタ（１）。
【請求項１４】
前記ダイレクト・プラグイン・コネクタ（１）は、前記締付要素（４）を有するハウジング（１７）を有し、
前記ハウジング（１７）は、前記締付要素（４）を有する第１ハウジング部（１８）と、前記止めピン（５）を有する第２ハウジング部（１９）とを有し、前記第１ハウジング部（１８）と前記第２ハウジング部（１９）を互いに変位させることができ、前記止めピン（５）は、前記第１ハウジング部（１８）と前記第２ハウジング部（１９）の第１相対位置で前記非固定状態を取り、前記止めピン（５）は、前記第１ハウジング部（１８）と前記第２ハウジング部（１９）の第２相対位置で前記固定状態を取る、請求項２に記載のダイレクト・プラグイン・コネクタ（１）。
【請求項１５】
前記接触部（２）は、前記ハウジング（１７）内に配置され、かつ、前記接触部（２）が前記ハウジング（１７）から離れることがないように固定する、固定部（２０）を有する、請求項１２及び１４のいずれかに記載のダイレクト・プラグイン・コネクタ（１）。
【請求項１６】
前記ダイレクト・プラグイン・コネクタ（１）は、前記ダイレクト・プラグイン・コネクタ（１）を回転しよいように固定するために、前記プリント回路基板（５０）の対応する心出し要素（２２）と相互作用することができる心出し要素（２１）を有する、請求項１〜１５のいずれか一項に記載のダイレクト・プラグイン・コネクタ（１）。
【国際調査報告】
2021532553.tif 000025
2021532553.tif 000026
2021532553.tif 000027
2021532553.tif 000028